(57)【特許請求の範囲】
【請求項１】
アンプルの本体部分の長さと略等しい長さを有するとともに、当該本体部分の外径よりも所定寸法だけ大きな内径を有する筒状のホルダと、
前記ホルダの上端から上方に前記アンプルに設けた頭部に対応して所定の長さだけ延びる受容部材と、
前記受容部材に対向して前記ホルダの上端から上方に延びるとともに、前記ホルダの上端との間にヒンジ部を有し、前記受容部材側に付勢する力に応じて前記受容部材側の動作位置に変位する押圧部材と、
を備えるアンプル開封用治具。
【請求項２】
前記押圧部材のヒンジ部は、弾性材料からなり、前記押圧部材は、前記受容部材側に付勢する力が除去された場合に、前記ホルダの上端から上方に延びる退避位置に復帰することを特徴とする請求項１記載のアンプル開封用治具。
【請求項３】
前記ホルダ、前記受容部材、及び前記押圧部材は、全体として弾性材料からなる筒状体で形成され、当該筒状体に一端側から延びる一対の切欠を形成することにより、当該一対の切欠の間に前記押圧部材が設けられるとともに当該一対の切欠の先端を近接させて当該一対の切欠の先端間に前記ヒンジ部が設けられることを特徴とする請求項２記載のアンプル開封用治具。
【請求項４】
前記ホルダの下端に前記本体部分を支持する着脱自在のキャップをさらに備えることを特徴とする請求項１から請求項３のいずれか記載のアンプル開封用治具。
【発明の詳細な説明】
【０００１】
【発明の属する技術分野】
本発明は、腐食性や毒性を有する薬剤を封入したアンプルを安全かつ簡単に開封するためのアンプル開封用治具に関する。
【０００２】
【従来の技術】
アンプルの開封に際しては、通常、予めアンプルに設けたネック部分にカッタで傷を入れ、この傷を引っ張るように先端の頭部に力を加えることで、頭部を胴体部分から折り取っている。
【０００３】
一方、アンプルを片手で安全、簡単にカットすることを目的として、例えば特開２００１−３１１９１号公報に開示のように、アンプル切断片を収容するための箱体からなるアンプルカッタであって、その天板の前部に設けた傾斜面と前面壁との間にアンプルカット用の開口部を設けたものが開示されている。
【０００４】
【発明が解決しようとする課題】
しかし、腐食性や毒性を有する薬剤を封入したアンプルを開封する場合、上記のようなアンプルカッタを用いても、作業の安全性が確保できない。すなわち、アンプルを手で保持することによって開封する限り、アンプルの開封に際してアンプルの開口から発生する蒸気や液滴に作業者の身体の一部がさらされる可能性があり、開封やその後の作業の安全性が確保できない。
【０００５】
そこで、本発明は、簡易な手法でアンプルを安全かつ簡単に開封することができるアンプル開封用治具を提供することを目的とする。
【０００６】
【課題を解決するための手段】
上記課題を解決するため、本発明のアンプル開封用治具は、アンプルの本体部分の長さと略等しい長さを有するとともに、当該本体部分の外径よりも所定寸法だけ大きな内径を有する筒状のホルダと、前記ホルダの上端から上方に前記アンプルに設けた頭部に対応して所定の長さだけ延びる受容部材と、前記受容部材に対向して前記ホルダの上端から上方に延びるとともに、前記受容部材側に付勢する力に応じて前記受容部材側の動作位置に変位する押圧部材とを備える。
【０００７】
上記アンプル開封用治具では、アンプルの本体部分が筒状のホルダに収まるように保持することで、対向する受容部材と押圧部材との間にアンプルの頭部が配置される。この状態で、作業者がその片手によって押圧部材を受容部材側に付勢することにより、アンプルの頭部が本体部分から折り取られ、さらに押圧部材と受容部材との間に折り取った頭部を挟んで除去することができる。この際、アンプルの本体部分や頭部に直接触れることなく片手で作業を行うことができるので、開封作業を簡易で安全なものとすることができる。
【０００８】
上記アンプル開封用治具の具体的な態様では、前記押圧部材が、前記ホルダの上端との間に弾性材料からなるヒンジ部を有し、前記受容部材側に付勢する力が除去された場合に、前記ホルダの上端から上方に延びる退避位置に復帰する。この場合、折り取った頭部を廃棄する等の処理が簡単になる。
【０００９】
また、上記アンプル開封用治具の別の具体的な態様では、前記ホルダ、前記受容部材、及び前記押圧部材が、全体として弾性材料からなる筒状体で形成され、当該筒状体に一端側から延びる一対の切欠を形成することにより、当該一対の切欠の間に前記押圧部材が設けられるとともに当該一対の切欠の先端を近接させて当該一対の切欠の先端間に前記ヒンジ部が設けられる。この場合、アンプル開封用治具の構造が簡単になり、その作製も極めて簡単なものとなる。
【００１０】
また、上記アンプル開封用治具の別の具体的な態様では、前記ホルダの下端に前記本体部分を支持する着脱自在のキャップをさらに備える。この場合、アンプルの頭部を折り取った後にホルダそのままキャップから分離すれば、キャップにアンプルの本体部分が支持された状態になる。これにより、作業者は、本体部分に触れることなく本体部分を必要な場所に運ぶことができる。
【００１１】
【発明の実施の形態】
以下、本発明に係るアンプル開封用治具の具体的な実施形態について詳細に説明する。
〔第１実施形態〕
図１は、第１実施形態に係るアンプル開封用治具の構造を説明する正面図である。また、図１（ｂ）及び（ｃ）は、図１（ａ）のアンプル開封用治具１０の側面図及び斜視図である。また、図２は、アンプル開封用治具１０に未開封のアンプルＡＰをセットした状態を説明する図である。
【００１２】
図からも明らかなように、このアンプル開封用治具１０は、弾性を有する樹脂材料例えばフッ素系樹脂から一体的に形成されており、アンプルＡＰの本体部分ＡＢを収容するための円筒状のホルダ２と、このホルダ２の上端から上方に延びる半円筒状の受容部材４と、ホルダ２の上端から受容部材４に対向して上方に延びる湾曲した台形状の押圧部材６とを備える。
【００１３】
円筒状のホルダ２は、その軸方向に関してアンプルＡＰの本体部分ＡＢの軸方向の長さと等しい長さを有する。また、ホルダ２は、本体部分ＡＢの外径よりもわずかに小さな内径を有し、本体部分ＡＢがホルダ２内で移動するのを許容するとともに、本体部分ＡＢがホルダ２内で大きく傾斜して本体部分ＡＢの姿勢維持が困難になるのを防止する。
【００１４】
半円筒状の受容部材４は、ホルダ２の上端を部分的に上方に延長した形状を有し、その軸方向に関してアンプルＡＰに設けた円錐状の頭部ＡＨの軸方向の長さと等しい長さを有する。この受容部材４は、アンプルＡＰから折り取られた頭部ＡＨを受け止める役割を有する。
【００１５】
押圧部材６も、アンプルＡＰに設けた円錐状の頭部ＡＨの長さと等しい長さを有する。また、押圧部材６は、ホルダ２上端との間にヒンジ部６ａを備える。このヒンジ部６ａは他の部分と同様に弾性を有する樹脂材からなるので、押圧部材６に対し受容部材４側に付勢する力Ｆ（図２参照）を与えることにより、このヒンジ部６ａが支点となって、押圧部材６は、図１（ｃ）に実線で示す退避位置から受容部材４側に傾いて、同様に図１（ｃ）に点線で示す動作位置まで変位する。このように、押圧部材６が動作位置に変位した場合、受容部材４と押圧部材６との間に折り取られたアンプルＡＰの頭部ＡＨが把持される。なお、押圧部材６に対する上述の力Ｆを取り除くことにより、押圧部材６は、ヒンジ部６ａが支点となって変位し、点線の動作位置から実線の退避位置に復帰する。
【００１６】
受容部材４と押圧部材６は、一対の切欠８によって分離されている。つまり、両切欠８の間に挟まれて押圧部材６が形成されており、両切欠８の一対の先端８ａ間にヒンジ部６ａが設けられている。
【００１７】
以下、図１及び図２に示すアンプル開封用治具１０を用いたアンプルＡＰの開封作業を説明する。まず、開封の対象とするアンプルＡＰを準備する。このアンプルＡＰは、２ｍｌの容器であり、ＴＦＡ（トリフルオロ酢酸）等の腐食性を有する薬液ＬＭが収容されている。次に、アンプルＡＰの本体部分ＡＢと頭部ＡＨとの間に設けた頸部ＡＮの周囲の１箇所にヤスリ等の道具でカット傷を形成する。次に、アンプル開封用治具１０を準備し、アンプルＡＰの本体部分ＡＢがホルダ２中に収まるようにして、アンプルＡＰを本体部分ＡＢとともに机等の台座上に配置する。次に、アンプルＡＰを適宜回転させて、頸部ＡＮの周囲に形成したカット傷がヒンジ部６ａに対向する状態とする。次に、押圧部材６に対し受容部材４側に付勢する力Ｆを与える。この作業は、作業者が片手で行うことができる。このような作業により、このヒンジ部６ａが支点となって押圧部材６が実線の退避位置から傾き、アンプルＡＰの頭部ＡＨが押されて、頸部ＡＮに対しカット傷の部分で引張り応力が働くような力が作用する。押圧部材６に対する力Ｆがある程度以上になると、アンプルＡＰから頭部ＡＨが折り取られる。その後、さらに押圧部材６を受容部材４に押し付けると、押圧部材６が動作位置まで変位して、折り取った頭部ＡＨを受容部材４と押圧部材６との間に把持することができる。この状態で、アンプル開封用治具１０を上昇させると、アンプル開封用治具１０とともに把持された頭部ＡＨも上昇し、台座上に開封された本体部分ＡＢが残る。なお、アンプル開封用治具１０とともに頭部ＡＨをその廃棄場所に運び、押圧部材６を押す力を弛めると、アンプル開封用治具１０から頭部ＡＨが解除されて、頭部ＡＨのみを廃棄することができる。残ったアンプル開封用治具１０は、洗浄によって再利用することができる。
【００１８】
以上説明のアンプル開封用治具を用いることにより、片手だけでアンプルＡＰから頭部ＡＨを折り取って開封することができる。しかも、受容部材４や押圧部材６によって作業者の指が薬液ＬＭやその蒸気、さらには本体部分ＡＢの切り口から保護されるので、アンプルＡＰの開封作業を安全かつ簡単なものとすることができる。
〔第２実施形態〕
図３は、第２実施形態に係るアンプル開封用治具の構造を説明する斜視図である。第２実施形態のアンプル開封用治具は、第１実施形態のアンプル開封用治具に栓状のキャップを追加したものであり、同一部分には、同一の符号を付して重複説明を省略する。
【００１９】
このアンプル開封用治具１１０は、ホルダ２、受容部材４、及び押圧部材６からなる治具本体１００の他に、ホルダ２の下端部２ａを着脱自在に嵌合させることができる円筒状のキャップ１０１を備える。このキャップ１０１は、上端が開放されて開口１０１ａとなっており、下端が封止された底面となっている。また、キャップ１０１の周囲には、取り扱いの便宜のためローレット１０１ｂが形成されている。
【００２０】
以下、図４を参照して、第１実施形態のアンプル開封用治具１１０を用いたアンプルＡＰの開封作業を説明する。まず、開封の対象とするアンプルＡＰを準備し、アンプルＡＰの本体部分ＡＢと頭部ＡＨとの間に設けた頸部ＡＮ周囲の１箇所にカット傷を形成する。次に、アンプル開封用治具１１０のうちキャップ１０１を準備し、キャップ１０１中にアンプルＡＰの本体部分ＡＢ下部が収まるように載置する（図４（ａ）参照）。次に、アンプル開封用治具１０のうち治具本体１００を準備し、アンプルＡＰの本体部分ＡＢがホルダ２中に収まるように、治具本体１００の下端部２ａをキャップ１０１中にはめ込む（図４（ｂ）参照）。次に、アンプルＡＰを適宜回転させて、頸部ＡＮ周囲のカット傷がヒンジ部６ａに対向する状態とする。次に、押圧部材６に対し受容部材４側に付勢する力Ｆを与える（図４（ｂ）参照）。このような作業により、押圧部材６によってアンプルＡＰの頭部ＡＨが押されて、本体部分ＡＢから頭部ＡＨが折り取られる。さらに、押圧部材６を受容部材４に押し付けると、折り取った頭部ＡＨを受容部材４と押圧部材６との間に把持することができる。この状態で、治具本体１００をキャップ１０１から分離しつつ上昇させると、アンプル開封用治具１１０とともに把持された頭部ＡＨも上昇し、キャップ１０１上に開封された本体部分ＡＢが残る。この場合、キャップ１０１を利用して本体部分ＡＢを持ち運ぶことができるので、作業者が本体部分ＡＢ中の薬液ＬＭに誤って触れることをさらに確実に防止することができる。
【００２１】
以上実施形態に即して本発明を説明したが、本発明は上記実施形態に限定されるものではない。例えば受容部材４や押圧部材６の形状は、アンプルＡＰの頭部ＡＨを折って把持でき、かつ、本体部分ＡＢに形成される開口に指等が直接触れることを防止できる範囲で、適宜変更することができる。この際、受容部材４や押圧部材６の縦方向の長さは、頭部ＡＨの長さと等しくする必要はない。ただし、受容部材４や押圧部材６の長さが短過ぎると、開封に際して頭部ＡＨに十分な力を与えることができないので、頭部ＡＨを折り取る作業を簡単にできる程度の長さとする。
【００２２】
【発明の効果】
以上の説明から明らかなように、本発明のアンプル開封用治具によれば、アンプルの本体部分が筒状のホルダに収まるように保持することで、対向する受容部材と押圧部材との間にアンプルの頭部が配置される。この状態で、作業者がその片手で押圧部材を受容部材側に付勢することにより、アンプルの頭部が本体部分から折り取られ、さらに押圧部材と受容部材との間に折り取った頭部を挟んで除去することができる。この際、アンプルの本体部分や頭部に直接触れることなく片手で作業を行うことができるので、開封作業を簡易で安全なものとすることができる。
【図面の簡単な説明】
【図１】（ａ）は、第１実施形態に係るアンプル開封用治具の構造を説明する正面図であり、（ｂ）は、アンプル開封用治具の側面図であり、（ｃ）は、アンプル開封用治具の斜視図である。
【図２】図１に示すアンプル開封用治具を用いたアンプルの開封を説明する図である。
【図３】第１実施形態に係るアンプル開封用治具の構造を説明する斜視図である。
【図４】（ａ）、（ｂ）は、図３に示すアンプル開封用治具を用いたアンプルの開封を説明する図である。
【符号の説明】
２      ホルダ
４      受容部材
６      押圧部材
６ａ      ヒンジ部
８      切欠
８ａ      先端
１０      アンプル開封用治具
１００      治具本体
１０１      キャップ
１１０      アンプル開封用治具
ＡＢ      本体部分
ＡＨ      頭部
ＡＮ      頸部
ＡＰ      アンプル
ＬＭ      薬液
【図１】
0003976593.tif 000002
【図２】
0003976593.tif 000003
【図３】
0003976593.tif 000004
【図４】
0003976593.tif 000005